(57)【要約】【課題】多共振逆Ｆアンテナにおいて、アンテナ特性を後から調整することができるアンテナ装置を提供することを目的とする。【解決手段】給電点に一端が接続される第１の線状素子（１２）と、第１の線状素子に対して垂直方向に配置された第４の線状素子（１５）と、第４の線状素子に平行に配置される第３の線状素子（１４）と、第１の線状素子の他端に一端が接続され、他端が第３の線状素子の一端に接続される第７の線状素子（２０）と、第１の線状素子と第７の線状素子との接続点に一端が接続される第６の線状素子（１９）と、第３の線状素子と第７の線状素子との接続点に一端が接続され、第４の線状素子の一端に他端が接続される第２の線状素子（１３）と、第２の線状素子と第４の線状素子との接続点に一端が接続され、他端が接地される第５の線状素子（１５）とで構成され、第６の線状素子は第３の線状素子の反対側に配置され、第６の線状素子は、前記第３、第４の線状素子に対して平行に配置される。【選択図】      図１
2005252480.tif 000002
【特許請求の範囲】
【請求項１】
給電点に一端が接続される第１の線状素子と、
前記第１の線状素子に対して垂直方向に配置された第２の線状素子と、
前記第１の線状素子側に前記第２の線状素子に平行に配置される第３の線状素子と、
前記第１の線状素子の他端に一端が接続され、他端が第３の線状素子の一端に接続される第４の線状素子と、
前記第１の線状素子と前記第４の線状素子との接続点に一端が接続される第５の線状素子と、
第３の線状素子と第４の線状素子との接続点に一端が接続され、前記第２の線状素子の一端に他端が接続される第６の線状素子と、
前記第６の線状素子と前記第２の線状素子との接続点に一端が接続され、他端が接地される第７の線状素子と
で構成され、前記第１、第６、第４の線状素子は同一線上になるように配置され、前記第５の線状素子は前記第１、第６、第４の線状素子に対して前記第３の線状素子の反対側に配置され、前記第５の線状素子は、前記第１の線状素子との接続点から前記第３、第２の線状素子に対して平行に配置されていることを特徴とするアンテナ装置。
【請求項２】
前記第１、第６、第４の線状素子と平行に配置され、前記第５の線状素子の他端に一端が接続される第８の線状素子を有することを特徴とする請求項１に記載のアンテナ装置。
【請求項３】
前記第１、第６、第２、第４の線状素子の長さの和が、第１の周波数信号の波長の１／４であり、前記第１，第３、第４の線状素子の長さの和が、第６の周波数信号の波長の１／４であることを特徴とする請求項１または２に記載のアンテナ装置。
【請求項４】
対向する第１面及び第２面を有する誘電体基板と、前記誘電体基板の第１面に配置された接地導体板とを有し、前記第１および第５の線状素子が前記第２面に配置され、前記第６ないし第７の線状素子および第４の線状素子が前記誘電体基板の前記第１面および第２面の少なくとも一方に配置され、給電線路が前記第１面および第２面の他方に配置され、前記給電点に接続されることを特徴とする請求項１ないし３のいずれか１に記載のアンテナ装置。
【請求項５】
前記接地導体板を地板とし、前記第２面に配置されたマイクロストリップ線路と前記給電点とを接続したことを特徴とする請求項４記載のアンテナ装置。
【請求項６】
前記第２の線状素子を折り曲げたことを特徴とする請求項１ないし５のいずれか１に記載のアンテナ装置。
【請求項７】
前記第１の周波数を約２ＧＨｚ帯、前記第２の周波数を約５ＧＨｚ帯とし、ＰＣカードで構成したことを特徴とする請求項１ないし６のいずれか１に記載のアンテナ装置。
【請求項８】
各々が請求項１ないし７のいずれか１に記載のアンテナ装置により構成され、同一平面上に配置される２組のアンテナ装置により構成され、２組の前記アンテナ装置がこれらの前記第１の線状素子が平行になるように配置され、２組の前記アンテナ装置の一方の前記第７の線状素子が他方のアンテナ装置側に配置することを特徴とするアンテナシステム。
【発明の詳細な説明】
【技術分野】
【０００１】
この発明は、主として無線ＬＡＮ（Local Area Network）等の無線通信機能を備えた携帯情報端末やアクセスポイントなどの無線装置に内蔵されるアンテナ装置、特に２周波数で動作するために最適な平面アンテナ装置に関する。
【背景技術】
【０００２】
近年、無線システムは、携帯電話、ＰＨＳ、無線ＬＡＮ、及びＢｌｕｅｔｏｏｔｈ等があり、多種多様となってきている。伝送速度、料金、及びサービスエリアに合わせてユーザーが使い分けるため、複数の異なるシステムに対応した無線装置が実現されている。特に、デュアルモード携帯電話や、無線ＬＡＮのＩＥＥＥ８０２．１１ａ／ｂ／ｇ等、複数のシステムを１つにした無線装置が製品化されている。
【０００３】
アンテナを無線機に配置する場合、金属筐体、レドーム、部品、及び線路の影響でアンテナ特性が変化する場合がある。アンテナ素子の動作する帯域を広くしておけば、アンテナの特性が変化しても問題がない。また、量産時の特性ばらつきを抑えることができる。
【０００４】
従来の技術としては、逆Ｆアンテナの給電線に複数の放射素子を垂直に配置したアンテナがある（例えば、特許文献１参照）。このようなアンテナでは、逆Ｆアンテナに板状素子を配置することにより、これらの共振周波数をわずかにずらして、単一周波数で広帯域になるように調整されている。
【特許文献１】特開２００３−５１７１２号公報
【発明の開示】
【発明が解決しようとする課題】
【０００５】
しかしながら、上記した従来技術においては、板状素子が誘電体基板を積層して構成されるため、後から調整することはできない。また、実装面積が大きくなる問題がある。さらに、アンテナの放射メカニズム自体を変更させるために調整することができない。また更に、放射効率の劣化も発生する。その他に、薄型化、デュアルバンド／ブロードバンド化、インピーダンス整合、放射特性、放射効率の向上、低価格化、無線回路との接続性などが課題となっている。
【０００６】
この発明は、多共振逆Ｆアンテナにおいて、アンテナ特性を後から調整することができるアンテナ装置を提供することを目的とする。
【課題を解決するための手段】
【０００７】
本発明は、給電点に一端が接続される第１の線状素子と、前記第１の線状素子に対して垂直方向に配置された第４の線状素子と、前記第１の線状素子側に前記第４の線状素子に平行に配置される第３の線状素子と、前記第１の線状素子の他端に一端が接続され、他端が第３の線状素子の一端に接続される第７の線状素子と、前記第１の線状素子と前記第７の線状素子との接続点に一端が接続される第６の線状素子と、第３の線状素子と第７の線状素子との接続点に一端が接続され、前記第４の線状素子の一端に他端が接続される第２の線状素子と、前記第２の線状素子と前記第４の線状素子との接続点に一端が接続され、他端が接地される第５の線状素子とで構成され、前記第１、第２、第７の線状素子は同一線上になるように配置され、前記第６の線状素子は前記第１、２、７の線状素子に対して前記第３の線状素子の反対側に配置され、前記第６の線状素子は、前記第１の線状素子との接続点から前記第３、第４の線状素子に対して平行に配置されていることを特徴とするアンテナ装置を提供する。
【発明の効果】
【０００８】
本発明のアンテナ装置によると、高い周波数では第１、第７の線状素子からの放射が支配的である。従って、第１、第７の接続点から第６の線状素子を接続することにより、第１の線状素子からの放射を抑制することなく、インピーダンスの調整を行うことができる。
【発明を実施するための最良の形態】
【０００９】
以下、図面を参照しながら本実施の形態について詳細に説明する。
【００１０】
（第１の実施形態）
図１を用いて本発明の一実施形態について説明する。図１は、本実施形態のアンテナ装置の概略構成を示す図である。
【００１１】
図１によると、誘電体基板１に逆Ｆアンテナが組み込まれている。この逆Ｆアンテナによると、直線状の第１の線状素子１２の一端は誘電体基板１の面上の給電点１１に接続され、他端は接続点２１に接続されている。直線状の第７の線状素子２０の一端は接続点２１に接続され、他端は接続点１７に接続される。直線状の第２の線状素子１３の一端は接続点１７に接続され、他端は接続点１８に接続されている。第１、第２および第３の線状素子は同一方向に延びている。
【００１２】
接続点１７には直線状の第３の線状素子１４の一端が接続される。第３の線状素子１４は第１、第２および第３の線状素子の延在方向に二次元的に直交する方向に延びている。直線状の第４の線状素子１５の一端は接続点１８に接続される。第４の線状素子１５は第３の線状素子１４に平行に配置される。接続点１８は、短絡素子である直線状第５の線状素子１６の自由端に接続されている。線状素子１６は接続点１８から線状素子１５とは反対方向に延在している線状素子１６ａとこの線状素子１６ａの先端から線状素子１２，１３，２０に平行に延びている線状素子１６ｂとで構成されている。即ち、線状素子１６は逆Ｌ形状となる。
【００１３】
さらに接続点２１に、第３の線状素子１４および第４の線状素子１５とは反対方向に延在している直線状の第６の線状素子１９の一端が接続されている。線状素子１９の他端に第８の線状素子２２が接続され、線状素子２０に平行に延びている。線状素子２２の他端は開放されている。
【００１４】
上記の構成では、第６の線状素子１９は第１の線状素子１２に垂直に接続され、第７の線状素子２０は第１の線状素子１２と平行に接続されることになる。第６の線状素子１９で、所望の特性を満たす場合は、第８の線状素子２２は無くてよい。
【００１５】
図２の（ａ）は、図１に示したアンテナの動作原理を示している。（ｂ＋ｅ）は第１周波数の１／４波長で並列共振し、（ａ＋ｃ＋ｂ）は第２周波数の１／４波長で直列共振する。（ｂ＋ｃ＋ｄ）で第３周波数の１／２波長で並列共振し、（ａ＋ｄ）は第４周波数の１／４波長で直列共振する。アンテナとしては、第２、４周波数でインピーダンス整合をとる。（ａ＋ｃ＋ｂ）はｅを短絡素子とする逆Ｆアンテナ、（ａ＋ｄ）は逆Ｌアンテナとなる。線状素子１２で線状素子１９を並列に接続する。
【００１６】
図２の（ｂ）は、図１に示した第６の線状素子１９、第７の線状素子２２の動作原理を示している。（ａ１＋ａ２＋ｄ）は図２（ａ）に示した第４周波数の１／４波長で直列共振し、（ｄ＋ａ２＋ｆ）は第５の周波数の１／２波長で並列共振し、（ａ１＋ｆ）は第６周波数の１／４波長で直列共振する。ただし、第１周波数＜第２周波数＜第３周波数＜第４周波数＜第５周波数＜第６周波数の関係である。まとめると、次式のようになる。
【００１７】
（ａ１＋ａ２＋ｄ）×４＞（ｄ＋ａ２＋ｆ）×２＞（ａ１＋ｆ）×４
従って、第４周波数でアンテナとして動作させるため、インピーダンス整合をとる場合は次のようになる。
【００１８】
アンテナの抵抗値が低い場合は、比較的高抵抗値になる並列共振を発生する（ｄ＋ａ２＋ｆ）×２を（ａ１＋ａ２＋ｄ）×４に近づける。逆に抵抗値が高い場合は、（ｄ＋ａ２＋ｆ）×２を（ａ１＋ａ２＋ｄ）×４から遠ざければ良い。
【００１９】
図３は、図１に示した逆Ｆアンテナの調整箇所の動作原理を示している。図４は、従来の逆Ｆアンテナの調整箇所の動作原理を示している。図３では、第１の線状素子１２と第３の線状素子１４を１／４波長となる周波数で直列共振する。電流Ｉ１が支配的となり、第１の線状素子１２から放射する。電流Ｉ２は給電点１１の電流を減らし、高抵抗にする働きがある。ただし、第６の線状素子１９を接続点１７で無い点で接続したことにより、第１の線状素子１２上の線状素子２１からの放射は相殺されないため、放射量が大きくなる。
【００２０】
図４では、第１の線状素子１２と第３の線状素子１４を１／４波長となる周波数で直列共振する。電流Ｉ３が支配的となり、第１の線状素子１２から放射する。電流Ｉ４は給電点１１の電流を減らし、高抵抗にする働きがある。ただし、第６の線状素子１９を接続点１７で接続したことにより、第１の線状素子１２上からの放射は相殺され、放射量が小さくなる。
【００２１】
上記のように本実施形態は、線状素子１９の長さを調整することによりインピーダンスの調整が可能となるアンテナ装置を提供している。また、試作の段階で調整することにより広帯域化すれば、試作の構成で大量生産できる。
【００２２】
上記実施形態によると、高い周波数では第１、第７の線状素子からの放射が支配的である。従って、第１、第７の接続点から第６の線状素子を接続することにより、第１の線状素子からの放射を抑制することなく、インピーダンスの調整を行うことができる。また、第８の線状素子を追加することにより、第６の線状素子が電気的に長くなるので、調整箇所が大きくなる。また、第８の線状素子を第６の線状素子から垂直に接続することにより、第６、第８の線状素子間の結合を防ぐことができる。更に、第１の周波数は逆Ｆアンテナ、第２の周波数は逆Ｌアンテナとして動作するため、数値限定のようにすることにより、設計が容易となる。
【００２３】
（第２の実施形態）
図５〜図７を用いて本発明の第２実施形態について説明する．図５〜図７は、本実施形態のアンテナ装置の概略構成を示す。
【００２４】
図５に示すように、アンテナ装置５０１において、誘電体基板５０２の面１に接地導体板５０３が配置され、面２にマイクロストリップ線路５０９が図の左側から右側に延びて配置される。Ｌ字状の短絡線５０６は、その一端が短絡点５０７で接地導体板５０３に接続され、面１上に配置される。線状素子５０８は線路５０９の接続点５１２で接続され、線路５０９に直角に基板５０２の端に沿って延びている。線状素子５０８と短絡線５０６は、接続点５１２を通る少なくとも１つ以上のスルーホール５１３を介して電気的に接続される。即ち、基板５０２に穿設されたスルーホール５１３の内壁に形成された導電層により線状素子５０８と短絡線５０６は接続される。線路５０９には図１に示す線状素子１４および１９に相当する線状素子が接続されている。
【００２５】
図６の構成では、アンテナ装置６０１において、誘電体基板６０２の面１に接地導体板６０３が配置され、面２に線路６０９が図の左側から右側に延びて配置されている。短絡点６０７で接地導体板６０３に接続された短絡線６０６は面１上に線路６０９と同じ方向に延びて配置される。線状素子６０８は、面２に線路６０９と直交する方向に基板６０２の端に沿って延在している。線状素子６０８の両端間において線状素子６０８は、接続点６１２Ａで線路６０９に接続されている。面２上の点６１２Ｂにおいて、線状素子６０８の一端が短絡線６０６とスルーホール６１３を介して電気的に接続される。即ち、基板６０２に穿設されたスルーホール６１３の内壁に形成された導電層により線状素子６０８と短絡線６０６は接続される。線路６０９には図１に示す線状素子１４および１９に相当する線状素子が接続されている。
【００２６】
図７の構成では、アンテナ装置７０１において、誘電体基板７０２の面１に接地導体板７０３が配置され、面２に線路７０９が図の左側から右側に延びて配置されている。短絡線７０６はその一端が短絡点７０７で接地導体７０３と接続され、面１の基板面に線路７０９と同じ方向に延びて配置される。線状素子７０８Ａはその一端が短絡線７０６の他端に接続され、短絡線７０６と直角に基板７０２の端に沿って延びている。即ち、短絡線７０６と線状素子７０８ＡとがＬ字状に接続されている。Ｌ字状の線状素子７０８Ｂは、その長手線分の両端間において接続点７１２で線路７０９に接続され、面２側に配置される。線状素子７０８Ｂの形状と線状素子７０８Ａと短絡線７０６とで形成される形状とは同じＬ字状となっており、線状素子７０８Ｂは複数のスルーホール７１３を介して線状素子７０８Ａと短絡線７０６に電気的に接続している。即ち、基板７０２に穿設された複数のスルーホール７１３の内壁に形成された導電層により線状素子７０８は線状素子７０８Ａ及び短絡線７０６に接続される。線路７０９には図１に示す線状素子１４および１９に相当する線状素子が接続されている。
【００２７】
これらのようにアンテナ素子に関して、スルーホールの位置や数が異なっていても、線状素子、接地導体、短絡線、線路で逆Ｆアンテナを構成していれば良い。
【００２８】
（第３の実施形態）
図８〜図１０を参照して本発明の第３の実施形態について説明する。
【００２９】
図８は第３の線状素子８１５の有無によるアンテナインピーダンスをシミュレーションするためのモデルを示す。接地導体板８０３、第１の線状素子８０８、給電線８０９、短絡線８０６で所望の第１周波数ｆ１用逆Ｆアンテナ８０４を構成する。基板幅が０．４λと狭いため、第１の線状素子８０８の先端を折り曲げている。給電線８０９の途中から第２の線状素子８１４を配置することにより、所望の第２周波数ｆ２で共振する動作を行うようになっている。
【００３０】
図９は、第３の線状素子８１５の有無によるシミュレーション結果を示している。周波数範囲は所望の第１周波数をｆ１＝２．４５ＧＨｚで、２．１ＧＨｚから５．４ＧＨｚまでである。所望の第２周波数ｆ２＝５．２ＧＨｚでインピーダンスが変化していることがわかる。
【００３１】
上記実施形態によると、接地導体板を地板とする給電線路をマイクロストリップ線路にすることにより、無線回路との接続が容易となる。また、第１の線状素子８０８を折り曲げることにより、性能を落とさずにアンテナ素子として小型化が可能となる。
【００３２】
図１０は、本実施形態のアンテナ装置の概略構成を示す図である。
【００３３】
無線装置１００１は、アンテナ部１００５にある２個の逆Ｆアンテナ１００４Ａ、１００４Ｂを用いて、通信状態の良い方を選択するダイバーシチ受信を行う。誘電体基板１００２上には接地導体板１００３が形成されている。アンテナ１００４Ａは、第１の線状素子１００８Ａと接続され、短絡線１００６Ａにより、接地導体板１００３の一辺に配置された短絡点１００７Ａで接地される。アンテナ１００４Ｂは、第１の線状素子１００８Ｂと接続され、短絡線１００６Ｂにより、接地導体板１００３の一辺に配置された短絡点１００７Ｂで接地される。第１の線状素子１００８Ａは線路１００９ＡでＲＦ回路１０１０と電気的に接続され、第１の線状素子１００８Ｂは線路１００９ＢでＲＦ回路１０１０と電気的に接続されている。
【００３４】
アンテナ１００４Ａ，１００４Ｂは、ＲＦ回路１０１０が配置される基板面の幅方向に並置される。短絡線１００６Ａはアンテナ１００４Ｂ側に配置され、短絡線１００６Ｂはアンテナ１００４Ａとは反対側に配置されている。即ち、アンテナ１００４Ａ、１００４Ｂは、短絡線１００６Ａ，１００６Ｂを後ろ側として第１の線状素子１００８Ａ，１００８Ｂの延在方向に並んで配置される。
【００３５】
第２の線状素子１０１４Ａは線路１００９Ａと接続され、第２の線状素子１０１４Ｂは線路１００９Ｂと接続している。第３の線状素子１０１５Ａは線路１００９Ａと接続しており、短絡線１００６Ａと給電線１００７Ａの囲む範囲に配置される。第３の線状素子１０１５Ｂは線路１００９Ｂと接続しており、短絡線１００６Ｂと給電線１００７Ｂの囲む範囲に配置される。
【００３６】
少なくとも１個のアンテナ素子は短絡線を有するアンテナで構成され、前記短絡点側で接続する線状素子を新たに付加したことにより、２個のアンテナ素子間結合を抑制し、アンテナ素子の入力インピーダンスを調整できる。
【００３７】
図１１は、本実施形態のアンテナ装置の他の概略構成を示す図である。
【００３８】
無線装置１１０１は、アンテナ部１１０５にある２個の逆Ｆアンテナ１１０４Ａ、１１０４Ｂを用いて、通信状態の良い方を選択するダイバーシチ受信を行う。誘電体基板１１０２上に接地導電版１１０３が形成される。アンテナ１１０４Ａは、第１の線状素子１１０８Ａと接続され、短絡線１１０６Ａにより、接地導体板１１０３の一辺に配置された短絡点１１０７Ａで接地される。アンテナ１１０４Ｂは、第１の線状素子１１０８Ｂと接続され、短絡線１１０６Ｂにより、接地導体板１１０３の一辺に配置された短絡点１１０７Ｂで接地される。
【００３９】
第１の線状素子１１０８Ａは線路１１０９ＡでＲＦ回路１１１０と電気的に接続され、第１の線状素子１１０８Ｂは線路１１０９ＢでＲＦ回路１１１０と電気的に接続されている。第１の線状素子１１０４Ａ，１１０４Ｂは、ＲＦ回路１１１０が配置される基板面の幅方向に並置される。短絡線１１０６Ａはアンテナ素子１１０４Ｂ側に配置され、短絡線１１０６Ｂはアンテナ素子１１０４Ａ側に配置されている。即ち、短絡線１１０６Ａと１１０６Ｂは互いに向き合って配置される。
【００４０】
第２の線状素子１１１４Ａは線路１１０９Ａと接続され、第２の線状素子１１１４Ｂは線路１１０９Ｂと接続される。第３の線状素子１１１５Ａは線路１１０９Ａと接続しており、短絡線１１０６Ａと給電線１１０７Ａの囲む範囲に配置される。第３の線状素子１１１５Ｂは線路１１０９Ｂと接続しており、短絡線１００６Ｂと給電線１１０７Ｂの囲む範囲に配置される。
【００４１】
２個のアンテナ素子は短絡線を有するアンテナで構成され、前記短絡点側で接続する線状素子を新たに付加したことにより、２個のアンテナ素子間結合を抑制し、アンテナ素子の入力インピーダンスを調整できる。
【００４２】
（第４の実施形態）
図１２を参照して本発明の第４の実施形態について説明する．図１２は、アンテナを４素子用いたアレーアンテナで成るアンテナ装置の概略構成を示している。このように４個の逆Ｆアンテナを用いて、通信状態の良い方を選択するダイバーシチ受信を行ったり、各素子の振幅と位相を調整することにより指向性を制御したりすることができる。
【００４３】
図１２（ａ）のアンテナ構成によると、各逆Ｆアンテナ１２０４が、短絡線１２０６が隣接する他の逆Ｆアンテナの開放側１２１９に向かい合うように４個の逆Ｆアンテナ１２０４が配置される。つまり、各逆Ｆアンテナは、アンテナ間結合の大きい開放側１２１９が向かい合うことがないように配置される。
【００４４】
図１２（ｂ）のアンテナ構成によると、４個の逆Ｆアンテナ１２０４の２個が短絡線１２０６が隣接する他の逆Ｆアンテナの開放側１２１９に向かい合うように配置され、同様に他の２個も短絡線１２０６が隣接する他の逆Ｆアンテナの開放側１２１９を向かい合うように配置される。これら２組の逆アンテナが短絡線１２０６が互いに向き合うように配置される。即ち、２組のアンテナが開放側１２１９が向かい合わないように配置される。
【００４５】
図１２（ｃ）のアンテナ構成によると、４個の逆Ｆアンテナ１２０４の３個が短絡線１２０６が隣接する他の逆Ｆアンテナの開放側１２１９に向かい合うように配置され、残りの１個の逆Ｆアンテナが３個の逆Ｆアンテナに対して短絡線１２１９が向かい合うように配置される。即ち、３組のアンテナが開放側１２１９が向かい合わないように、かつ残り１個の逆Ｆアンテナの開放側に向かい合わないように配置される。
【００４６】
上記のように接地導体板１２０３が大きくても、３素子以上の逆Ｆアンテナ１２０４を近接して配置する場合でも、短絡線１２０６をもう一方のアンテナ素子の開放側１２１９に配置したことにより、アンテナの抵抗値を上げて整合をとるため、短絡線に電流を流さないようにハイインピーダンスにすると、その効果を利用してアンテナ素子間を遮蔽することになるから、アンテナ素子間結合を抑制することができる。
【００４７】
上記実施形態によると、少なくとも１個のアンテナ素子は短絡線を有する逆Ｆアンテナで構成され、短絡線をもう一方のアンテナ素子側に配置したアンテナ部を新たに付加したことにより、共振周波数時に短絡線がハイインピーダンスとなり、アンテナ素子間を遮蔽することになるから、２個のアンテナ素子間結合を抑制することができる。
【００４８】
図１３は、本発明のアンテナ装置が適用できるカード型無線機および携帯端末の構成を示している。これによると、第１乃至第４の実施形態のアンテナ装置に相当するアンテナ１３０５がＰＣカード型無線機１３１７の後端部に設けられる。ＰＣカード型無線機１３１７は、携帯端末の筐体１３１６に設けられたカードスロット１３１８にアンテナ１３０５が露出するように挿入される。これにより、アンテナ１３０５を介してＰＣカード型無線機１３１７は外部と携帯端末との通信を行う。
【００４９】
ＰＣカード型無線機１３１７は、例えば、携帯電話用カード、ＰＨＳ用カード、無線ＬＡＮカード、及びＢｌｕｅｔｏｏｔｈ用カード等がある。また、無線ＬＡＮのＩＥＥＥ８０２．１１ａ／ｂ／ｇ等、複数のシステムを１つにした無線カードに適用できる。特にＰＣカードは、たとえばＰＣＭＣＩＡ（Personal Memory Card International Association）またはＪＥＩＤＡ（Japan Electronic Development Association）のＰＣカード規格に適合する形状とする。無線ＬＡＮの仕様でＩＥＥＥ８０２．１１ａ、ｂ、ｇに準拠させる場合、ＰＣカードの幅は６０ｍｍで２．４５ＧＨｚの半波長となる。図８に示す第４の線状素子を折り曲げれば、アレイ化され、ダイバーシチが可能となる。
【００５０】
上記のようにＰＣカード型無線機を含め無線通信全般において、フェージングの影響を軽減する技術として二つ以上の受信波を利用するダイバーシチ受信は、高品質伝送を実現するための重要な技術になっている。例えば、ＰＣカードによる無線通信においてダイバーシチを使うのはＩＥＥＥ８０２．１１でも指定されている。無線装置はますます小型になり、アンテナは近接して配置される場合が多い。この場合、アンテナ相互の干渉が大きくなり、放射効率の劣化を生じることがある。
【００５１】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００５２】
【図１】本発明の第１の実施形態に係るアンテナ装置の概略構成を示す図。
【図２】本発明の第１の実施形態に係るアンテナ装置のアンテナの動作を示す図。
【図３】本発明の第１の実施形態に係るアンテナ装置の第６の線状素子の動作を示す図。
【図４】本発明の第６の線状素子に対応する従来のアンテナ装置の線状素子の動作を示す図。
【図５】本発明の第２の実施形態に係るアンテナ装置の概略構成を示す図。
【図６】本発明の第２の実施形態に係るアンテナ装置の他の概略構成を示す図。
【図７】本発明の第２の実施形態に係るアンテナ装置の他の概略構成を示す図。
【図８】本発明の第３の実施形態に係るアンテナ装置の概略構成を示す図。
【図９】インピーダンス特性のシミュレーション結果を示す図。
【図１０】本発明の第３の実施形態に係るアンテナ装置の他の概略構成を示す図。
【図１１】本発明の第３の実施形態に係るアンテナ装置の他の概略構成を示す図。
【図１２】本発明の第４の実施形態に係るアンテナ装置の概略構成を示す図。
【図１３】本発明の他の実施形態に係る携帯アンテナ装置の概略構成図。
【符号の説明】
【００５３】
１…誘電体基板、１１…給電点、１２…第１の線状素子、１３…第２の線状素子、１４…第３の線状素子、１５…第４の線状素子、１６…第５の線状素子、１７…接続点、１８…接続点、１９…第６の線状素子、２０…第７の線状素子、２１…接続点、２２…第８の線状素子、５０１…無線装置、５０２…誘電体基板、５０３…接地導電板、５０６…短絡線、５０７…短絡点、５０８…線状素子、５０９…線路、５１２…接続点、６０１…無線装置、６０２…誘電体基板、６０３…接地導電板、６０６…短絡線、６０７…短絡点、６０８…線状素子、６０９…線路、６１２Ａ…接続点、７０１…無線装置、７０２…誘電体基板、７０３…接地導電板、７０６…短絡線、７０７…短絡点、７０８Ａ、７０８Ｂ…線状素子、７０９…線路、７１２…接続点、８０３…接地導体板、８０４…逆Ｆアンテナ、８０６…短絡線、８０８…第１の線状素子、８０９…給電線、８１４…第２の線状素子、８１５…第３の線状素子、１００１…無線装置、１００２…誘電体基板、１００３…接地導電板、１００６Ａ，１００６Ｂ…短絡線、１００７Ａ、１００７Ｂ…短絡点、１００８Ａ、１００８Ｂ…第１の線状素子、１００９Ａ、１００９Ｂ…線路、１０１０…ＲＦ回路、１０１４Ａ，１０１４Ｂ…第２の線状素子、１０１５Ａ，１０１５Ｂ…第３の線状素子、１１０１…無線装置、１１０２…誘電体基板、１１０３…接地導電板、１１０６Ａ，１１０６Ｂ…短絡線、１１０７Ａ、１１０７Ｂ…短絡点、１１０８Ａ、１１０８Ｂ…線状素子、１１０９Ａ、１１０９Ｂ…線路、１１１０…ＲＦ回路、１２０４…逆Ｆアンテナ、１２０６…短絡線、１２１９…開放側、１３０５…アンテナ、１３１７…ＰＣカード型無線機
【図１】
2005252480.tif 000003
【図２】
2005252480.tif 000004
【図３】
2005252480.tif 000005
【図４】
2005252480.tif 000006
【図５】
2005252480.tif 000007
【図６】
2005252480.tif 000008
【図７】
2005252480.tif 000009
【図８】
2005252480.tif 000010
【図９】
2005252480.tif 000011
【図１０】
2005252480.tif 000012
【図１１】
2005252480.tif 000013
【図１２】
2005252480.tif 000014
【図１３】
2005252480.tif 000015